Podtech/llm-jp-corpus-v4-ja_patent huggingface dataset:
(57)【要約】【課題】溶融亜鉛メッキ鋼材に取付けたタグに度々発生する、鋼材孔の亜鉛溜り、接合面の亜鉛溜り、番線とタグの連結部亜鉛固着、タグ情報文字部の亜鉛溜りを解消するタグを提供する。【解決手段】タグ（１）と番線（３）の双方に亜鉛の流れを遮断するに適当な孔（２）（４）を設け番線（３）の取り出し寸法が不均等を特徴とする。【選択図】図１
2013139601.tif 000002
【特許請求の範囲】
【請求項１】
番線とタグの双方に亜鉛の流れを遮断するに適当な孔を設け連結構成した鉄板タグ
【請求項２】
タグに連結した番線双方の寸法を不均等にした鉄板タグ
【発明の詳細な説明】
【技術分野】
【０００１】  この発明は、溶融亜鉛メッキ鋼材の識別として取り付けるタグの情報文字が、メッキ処理工程で発生する亜鉛の流れ垂れに覆い隠されることを阻止し、鋼材接合面の余剰亜鉛付着を軽減する、メッキ鋼材識別タグに関するものである。
【背景技術】
【０００２】  従来、溶融亜鉛メッキ処理を施す鋼材には、鉄板に番線を通す孔を施し番線２本奇りでメッキ鋼材へ無造作にぶらさげて鋼材識別タグとして用いられる。
【発明の概要】
【発明が解決しようとする課題】
【０００３】  溶融亜鉛メッキ工程で鋼材本体の余剰亜鉛が流れ垂れとなり、度々次の様な障害が発生する欠点があった。
（イ）番線を伝った余剰亜鉛は、タグの情報文字部分に溜り、読取り不能になる。
（ロ）鋼材本体ボルト孔側にタグ取り付け番線の、ねじりコブがあると亜鉛溜りが発生する為、タグを外してリーマ通し、研磨作業に労力を要しタグの紛失、錆び発生の要因ともなり、接合面薬品処理作業では、ねじりコブが障害となり良好な処理が望めない。
（ハ）タグの番線孔に亜鉛溜りが発生すると、タグと番線が固着一体化となり自在性を欠き、情報文字読み取り作業の障害となり作業効率が低下する。
（二）鋼材本体へタグを番線でフリー状に取付ると、タグは自在に移動するため鋼材本体へタグ全面が貼り付く為にメッキ剥離、研磨作業を必要とし、錆発生の要因ともなる。
本発明は以上の様な欠点をなくすためになされたものである。
【課題を解決するための手段】
【０００４】（イ）番線とタグの双方に、亜鉛の流れ垂れを遮断するに適当なる孔を設けて連結する。
（ロ）番線の取り出し２本の寸法を極端に不均等にすることで、鋼材本体へのタグ取付番線ねじりコブをタグ側へ誘導し、番線ねじりコブの亜鉛溜りを鋼材接合面から離す。
本発明は、以上の構成からなる溶融亜鉛メッキ識別タグである。
【発明の効果】
【０００５】（イ）タグとの連結の番線孔で余剰亜鉛を遮断しているので、余剰亜鉛除去作業が不要になり情報文字読取仕分け作業が飛躍的に向上し、誤読によるトラブルを根絶する。
（ロ）鋼材接合孔側にタグ取付け番線のねじりコブが無い事で鋼材接合孔と番線の接点に余剰亜鉛が溜まらず鋼材接合孔のリーマー作業不要、接合面研磨作業不要となり、接合面薬品処理においても作業の障害であった番線コブ、番線の飛び出しが接合部から離されている事で作業性が向上し、きれいな仕上がりを実現した。
【図面の簡単な説明】
【０００６】
【図１】  本発明の正面図
【図２】  本発明の側面図
【発明を実施するための形態】
【０００７】  以下、本発明を実施するための形態について説明する。
タグ（１）の端部に余剰亜鉛が溜まらない大きな孔（２）を設けて、番線（３）を通し余剰亜鉛の流れ垂れを遮断する適当な孔（４）を番線（３）の寸法が極端な不均等で設ける。
本発明は以上の様な構成である。
これを使用するときは、長い方の番線を鋼材本体接合孔に通し、もう一方の短い番線に結束すれば良い。
【符号の説明】
【０００８】１  タグ
２  タグの孔
３  番線
４  番線の孔
【図１】
2013139601.tif 000003
【図２】
2013139601.tif 000004
(57)【要約】【課題】一枚で骨盤ショーツまたは腹巻ショーツとして使えるショーツを提供する。【解決手段】ウエストに位置して骨盤部を覆う幅広ゴムを備え、前記幅広ゴムを幅広ゴム付け位置で折り返すことにより、幅広ゴムが腹部を覆うことができることを特徴とするショーツ。【選択図】図１
2013139658.tif 000002
【特許請求の範囲】
【請求項１】
ウエストに位置して骨盤部を覆う幅広ゴムを備え、前記幅広ゴムを幅広ゴム付け位置で折り返すことにより、幅広ゴムが腹部を覆うことができることを特徴とするショーツ。
【発明の詳細な説明】
【技術分野】
【０００１】  この発明は、一枚で骨盤ショーツまたは腹巻ショーツとして使えることを特徴とするショーツに関するものである。
【背景技術】
【０００２】  従来、骨盤ショーツや腹巻ショーツはあるが、一枚で骨盤ショーツまたは腹巻ショーツとして使えるショーツはなかった。
【発明の開示】
【発明が解決しようとする課題】
【０００３】  そのために、骨盤ショーツと腹巻ショーツを別々に買わなければならない。
本発明は以上の欠点を解決し、一枚で骨盤ショーツまたは腹巻ショーツとして使えるショーツを提供しようとするものである。
【課題を解決する手段】
【０００４】  ウエスト（１）に位置して骨盤部（２）を覆う幅広ゴム（３）を設け、幅広ゴム（３）を幅広ゴム付け位置（４）で折り返すことにより幅広ゴム（３）が腹部（５）を覆うことができるショーツ（６）を作成する。
【発明の効果】
【０００５】  本発明により、着用者は一枚で骨盤ショーツまたは腹巻ショーツとして使用することができる。
【発明を実施するための最良の形態】
【０００６】  以下、本発明の実施の形態について説明する。
【実施例１】
【０００７】  ウエスト（１）に位置して骨盤部（２）を覆う幅広ゴム（３）を設け、幅広ゴム（３）を幅広ゴム付け位置（４）で折り返すことにより幅広ゴム（３）が腹部（５）を覆うことができるショーツ（６）を作成する。
本発明は以上の構成よりなっている。
なお、幅広ゴム（３）はパワーネットなどの伸縮素材でもよい。
また、幅広ゴム（３）は裏へ取り付けても同じ効果を得ることができる。
また、幅広ゴム（３）は２枚以上取り付けても良い。
また、幅広ゴムの幅は１２ｃｍ位が好ましいが幅を限定するものではない。
また、ウエスト（１）に位置して腹部（５）を覆う幅広ゴム（３）を設け、幅広ゴム（３）を幅広ゴム付け位置（４）で折り返すことにより幅広ゴム（３）が骨盤部（２）を覆うことができるショーツ（６）を作成しても良いのは言うまでもない。
【産業上の利用可能性】
【０００８】  本発明は上述のショーツのほかに、ガードル、スパッツ、タイツなど、男性用女性用を問わず、骨盤部と腹部を覆う身体に密着する衣料すべてに応用できる構成なので産業上広く利用できる。
【図面の簡単な説明】
【０００９】
【図１】本発明を示した正面図である。
【図２】幅広ゴムを折り返した時の本発明を示した正面図である。
【図３】本発明の使用状態を示した正面図である。
【図４】幅広ゴムを折り返した時の本発明の使用状態を示した正面図である。
【符号の説明】
【００１０】１    ウエスト
２    骨盤部
３    幅広ゴム
４    幅広ゴム付け位置
５    腹部
６    ショーツ
【図１】
2013139658.tif 000003
【図２】
2013139658.tif 000004
【図３】
2013139658.tif 000005
【図４】
2013139658.tif 000006
(57)【要約】【課題】時間、場所を問わず公衆の場においても違和感なく、身体のつぼを指圧することができる。また身体に直接触れるものなので清潔性を保てることを課題とする。【解決手段】常日頃持ち歩くハンカチに、指圧用器具として円球突起物を装着する。円球突起物は、二枚重ねの布地によって挟み込み、覆い隠すようにして装着する。【選択図】図１
2013139657.tif 000002
【特許請求の範囲】
【請求項１】
ハンカチとして用いることに適した布地の任意の場所に、つぼを指圧することに適した大きさの円球突起物を複数ヶ所装着した。
【請求項２】
布地を二重構造にすることにより、円球突起物を覆い隠し目立ないようにした。また、容易に移動しないように縫いつけた。
【発明の詳細な説明】
【技術分野】
【０００１】  この発明は、身体のつぼを指圧するための器具を装着したハンカチの形状に関する。
【背景技術】
【０００２】  従来、ハンカチに用いる布地と指圧用器具は別々には存在した。
【発明の概要】
【発明が解決しようとする課題】
【０００３】  しかしながら、以上の技術によればこれらハンカチは、汗ふきや手拭いに用いるのみであり、また指圧用器具は外観が悪く携帯に不便であった。そこで、この発明はハンカチに簡単な指圧用器具を装着し、提供することを課題とする。
【課題を解決するための手段】
【０００４】  以上の課題を解決するために第一発明は、ハンカチに身体のつぼを指圧するための器具として円球突起物を縫い付けたことを特徴とする。
また、第二発明は、ハンカチの構造を二枚重ねの布地として、縫いつけた円球突起物を挟み込み、覆い隠せるようにしたことを特徴とする。
【発明の効果】
【０００５】  第一発明、または第二発明によれば、指圧用器具をハンカチに装着することにより携帯しやすくした。また円球突起物を覆い隠せる構造とすることにより外観をよくした。
【図面の簡単な説明】
【０００６】
【図１】本発明の正面図である。
【図２】本発明の分解図である。
【図３】本発明の分解図である。
【図４】本発明の使用時の図である。
【図５】本発明の使用時の図である。
【図６】本発明の使用時の図である。
【図７】本発明の使用時の図である。
【発明を実施するための形態】
【０００７】  図２及び図３に示すように、二重構造の布地の内側の任意の場所に、円球突起物を複数ヶ所装着する。
図４及び図５に示すように、円球突起物によって身体のつぼを指圧する。図６及び図７に示すように、手に使用する場合は、つぼを挟み込むようにして使用する。
【０００８】「実施形態の効果」
この実施形態によれば、時間、場所問わず公衆の場においても使用されることが期待出来る。また容易に洗濯することができるので、常に清潔性を保つことが可能となる。
【符号の説明】
【０００９】１  ハンカチ          ２  円球突起物
【図１】
2013139657.tif 000003
【図２】
2013139657.tif 000004
【図３】
2013139657.tif 000005
【図４】
2013139657.tif 000006
【図５】
2013139657.tif 000007
【図６】
2013139657.tif 000008
【図７】
2013139657.tif 000009
(57)【要約】      （修正有）【課題】ドア又は戸をあける必要がなく、本物の宅配業者か、宅配を装った犯罪者か、ドアを開ける前に見分けることが出来、安心して宅配品（小包み）の受け渡しが出来る入口玄関のドア又は戸を提供する。【解決手段】ドア１に約３０ｃｍ四方ぐらいの小窓２を装着する。ドア１に小窓２があると中から相手が誰かが分かり、受け渡しが出来て、ドア１又は戸をあける必要がなくなる。また、今後犯罪者の入室が困難になり犯罪が急減すると思われる。【選択図】図１
2013139684.tif 000002
【特許請求の範囲】
【請求項１】
入口玄関のドア、又は戸に、開閉出来る小窓を付ける
【発明の詳細な説明】
【発明の詳細な説明】
この発明は、各家庭の入口玄関のドア又は戸に、約３０ｃｍ四方ぐらいの小窓を付けたものである。
この小窓は、宅配品（小包み）専用の受取り窓口であり、この小窓から宅配業者から宅配品が届いた時に受け渡しをする。これは近年、宅配業者を装った犯罪が大変増加している。従来宅配業者が来ると入口のドアを開けて受取をしている。宅配業者か、犯罪者か分からないがドアを開ける。しかし、ドアに小窓があると中から相手が誰かが分かり、受け渡しが出来て、ドア又は戸をあける必要がなくなる。また不審な大きな荷物が来た場合は、受取サインだけをし、荷物は戸の前に置いて下さいと言えます。この発明により犯罪者が家に入る事が出来ず、犯罪が大幅に減少すると思われます。
【図面の簡単な説明】
【図１】本発明の斜視図
【符号の説明】１はドア
２は小窓
３は蝶番
４は小窓の戸
５は小窓の鍵
６はドアの鍵
【図１】
2013139684.tif 000003
(57)【要約】【課題】  本発明は、広範囲に及ぶ区域を掃き掃除や高圧洗浄などで清掃するときに、区域全体をもれなく効率的に清掃したかどうかを目で見て確認できることを目的とする。【解決手段】    本発明の色つき微粒子粉末を地上に薄く拡散散布  噴霧することにより、掃除をした場所では色つき粉末はなくなっており、していない場所では色つき粉末は残っている事で、はっきりと目で見て清掃の有無の区別ができることから、掃除の効率が良くなる。又、微粒子粉末の原料にゼオライトや炭などが含まれている為、限られた区域を掃除しながら、その区域の消臭、放射能除染の効果を上げることも可能となる。【選択図】図２
2013139706.tif 000002
【特許請求の範囲】
【請求項１】
○  ゼオライト  炭  ベントナイト等の原料を地上に薄く拡散堆積するぐらいの微粉末にしたことを特徴とする粉末。
【請求項２】
ゼオライト  炭  ベントナイト等の原料を炭や弁柄等で着色し、空気中に拡散噴霧した時に徐徐に地上に薄く拡散堆積するぐらいの微粉末にしたことを特徴とする粉末。
【請求項３】
請求項１に好気性微生物を混ぜたことを特徴とする粉末。
【発明の詳細な説明】
【技術分野】
【０００１】  本発明は、道路やある限られた地域などを、はき掃除や水洗い等で区域全体をもれなく掃除したかどうかを、より効果的に確認するための微粒子粉末に関する。
【背景技術】
【０００２】  従来、公園や道路など広範囲地域の地面などの掃除をする場合は、多人数で、いろいろな場所から分担して行うので、はき掃除をしなかった所とか、二度も三度も同じ場所をはき掃除をしてしまったり、その場所の掃除をしたかどうかを目で見てすぐに判断出来なかった為、掃除にむらがあり、効率が悪く、掃除をしようとする地域が完璧に掃除が終わったかどうか、判断が出来なかった。
本発明においては、掃除をしようとする区域の地面に、その区域地面の色とは異なる色の微粒子粉末か、本発明の微粉末を溶かせた水溶液を区域地面に噴霧散布し、地面などに拡散堆積した場所を、はき掃除や高圧洗浄した場合、まだ掃除をしていない場所であれば、目印となる色のついた粉末が残っているので、掃除をし終わってないとの区別が出来るので、同じところを何回も掃除を繰り返すことなく、又掃除をしていない場所の掃除のもれもなく、掃除の効率が大変良くなる。
又  本発明の微粒子粉末か微粒子粉末を溶いた水溶液を、公園や山林等の樹木に地上か空中から噴霧散布し、樹木に付着した本発明微粒子粉末を高圧洗浄などで洗い流せば、樹木などの立体的なものも、掃除をしたかどうか目で見て確認できる。
本発明の微粒子粉末の原料としては、ゼオライトの粉末を主体とし、炭や弁柄で、黒や茶や緑などの色にし、色のついた粉末の粒子の細かさも、溶液にすぐ溶け噴霧器で噴霧できるか、空中に散布した時に、空中に少しの時間漂い、ゆっくりと地上に降り積もる位の  微粒子にすれば、ゼオライトや炭のもつ悪臭や放射能を吸収する特性により、掃除の確認と共に、空気中と地上の悪臭や放射能を、より効果的に除去できる。
又、田畑等に於いては、好気性の微生物を混ぜた微粒子粉末を加えると、掃除をした後の土壌の活性化が増す。
【発明の概要】
【発明が解決しようとする課題】
【０００３】    本発明は、限られた地域に本発明の色のついた微粒子粉末を地上もしくは空中から散布し、地上に薄く拡散堆積した色のついた微粒子粉末により、目で見て掃除の有無が判断できるため、より効率的に掃き掃除や高圧洗浄をすることが出来る為、限られた地域の悪臭や放射能の除染などを、効率的にすることを目的としている。
【課題を解決するための手段】
【０００４】  本発明の色の付いた微粒子粉末や、本発明を水に溶かした水溶液を限られた地域に、ジョウロ  噴霧機  どう粉機  などで地上もしくは空中から均一に散布した後、本発明粉末が徐徐に地上に落ちて堆積する途中で、ゼオライトや炭などの粉末が、空中に漂っている異臭や放射能等を吸収しながら地上に降り積もり、本発明微粉末がすべて地上に堆積し安定する、２〜３日後に掃き掃除や高圧洗浄をすれば、本発明の微粒子粉末に含まれている原料の物質的効果で、より消臭、放射能除染効果が得られる特徴がある。
【発明の効果】
【０００５】  本発明の色つき微粒子粉末を、地上に薄く拡散散布  噴霧することにより、掃除をした場所では色つき粉末はなくなっており、していない場所では色つき粉末は残っている事で、はっきりと目で見て清掃の有無の区別できることから、掃除の効率が良くなり又、微粒子粉末の原料にゼオライトや炭などを含ませれば、限られた区域を掃除しながら、その区域の消臭、放射能除染の効果を上げることが可能となる。
【図面の簡単な説明】
【０００６】
【図１】本発明の微粒子粉末を拡散噴霧  散布している例
【図２】本発明を散布後に掃除をしている例
【発明を実施するための形態】
【０００７】  本発明の微粒子粉末を使った掃除の仕方について、図面を引用して説明する。
図１のように掃除をしようとする場所の樹木（１）や道路（２）や側溝（３）に、人間（４）が噴霧器（５）や空中散布機（６）等で、本発明の微粒子粉末（７）や微粒子粉末を溶かした水溶液（８）を地上もしくは空中から均一に散布する。
空中に漂よいながら、色のついた本発明微粒子粉末が地上に完全に落下した後、
図２のよう薄く堆積した色のついた本発明微粒子粉末（７）を、ホウキ（９）や高圧洗浄機（１０）などで、樹木（１）や道路（２）や側溝（３）の掃除洗浄を行う。
完全に掃除洗浄が終わった場所には色のついた本発明微粒子粉末は無くなって、元の状態になり、まだ掃除が終わらない場所には色のついた本発明微粒子粉末（７）がまだ残っている。
【産業上の利用可能性】
【０００８】  本発明の微粒子粉末は限られた地域の放射能の除染や、家畜や汚水からの悪臭の除去などに有効活用が出来、本発明微粒子粉末は原料が身近にあるもので構築できるので、すぐに大量生産が可能である。
【符号の説明】
【０００９】１  樹木
２  道路
３  側溝
４  人間
５  噴霧器
６  空中散布機
７  本発明の微粒子粉末
８  本発明の微粒子粉末を溶かした水溶液
９  ホウキ
１０  高圧洗浄機
【図１】
2013139706.tif 000003
【図２】
2013139706.tif 000004
(57)【要約】【課題】従来の自動車では、右左折するのには、ハンドルを回して、車輪の方向を変えて右左折をしていた。その為に機械的なステアリング機構によりハンドルの回転に比例して車輪の方向を変えていた。本発明では機械的なステアリング機構を使わずに自動車の右左折の方向を転換する事により自動車の機械的機構を単純にする事により、比較的低価格の自動車の製造を可能にする事を課題とする。【解決手段】電気自動車に関しては、二輪又は四輪にそれぞれ駆動用モーターを取り付ける事が可能である。そこでモーターの回転数をコンピューターで統合的に制御して、例として左折する時には左側の車輪の回転数を右側の車輪の回転数より小さくして、その回転数の差の大きさにより、車両を大きく左折したり、小さく左折する。【選択図】図１
2013139214.tif 000002
【特許請求の範囲】
【請求項１】
電気自動車の前輪または全輪の車輪の回転数をコンピュータにより統合的に制御して、左右前後の車輪の回転数の差により、右左折等の車両の進行方向を制御する事。
【発明の詳細な説明】
【技術分野】
【０００１】
電気自動車
【背景技術】
【０００２】
従来の自動車において、左右に進行方向を変えるには、ハンドルを回して、前輪または後輪等の向きを進行方向に対して変化する、必要がある。
【先行技術文献】
【特許文献】
【０００３】
【特許文献１】特許公開２００１−１６３２３２特許公開２００８−１００６８３
【特許文献２】特許公開２００８−１００６８３
【発明の概要】
【発明が解決しようとする課題】
【０００４】
１、従来技術では、機械的に車輪の方向を変えているために、機械的に構造が複雑になる事を単純にする。２、ジョイステックのレバーにより、右左折する事により運転操作の習熟を容易にする。
【課題を解決するための手段】
【０００５】
四輪また六輪等の自動車において、運転者がレバー等により、進行方向をコンピューターに指示して、それぞれの車輪の回転数をコンピューターにより一元的に制御して、左右または前後の車輪の回転数の差により自動車の進行方向を変える。
【発明の効果】
【０００６】
１、ハンドルにより車輪の方向を変化させないために、機械的に構造が単純である。２、４輪または６輪等の左右の車輪をゆっくり逆回転する事により、その場で回転できるために、回転半径を小さくできる。３、進行方向を車輪の回転数で決めるために、従来のハンドルの様に右折又は左折から直進にもどす時にハンドルを逆回転する必要がないために、運転操作の習熟が容易である。
【図面の簡単な説明】
【０００７】
【図１】本考案の前輪のみを駆動輪とした、上面から見た概略構成図である。
【発明を実施するための形態】
【０００８】
図１は本発明において、前輪のみに駆動用モーターを取り付けた実施形態の概略構成図である。
【実施例】
【０００９】
概略構成図１において、走行中、運転手がジョイステックのレバー７を左側に倒した時、コンピューター６が接続コード５，８，１５，１６を経由して、回転数検知式モーターブレーキシステム９，１７および回転数検知式ブレーキ４，１４に信号を送る。その時レバー７の傾きに比例して左折するのに最適の回転数を車輪２，１１，１２，１９が保てる信号をおくる。そして回転数検知式モーターブレーキシステム９，１７および回転数検知式ブレーキ４，１４により検知した回転数を接続コード５，８，１５，１６を経由してコンピューター６にもどして、実際の回転数により、コンピューター６で修正した信号を回転数検知式モーターブレーキシステム９，１７および回転数検知式ブレーキ４，１７へ送る。又ジャイロセンサーにより、進行方向を確認して、コンピューター６により適正信号をだす。
【産業上の利用可能性】
【００１０】
電気自動車において、機械的な構造が単純になるために、比較的低価格な自動車が製造出来る様になる。また操作を手に集中する事が出来る為に下半身に障害の有る人でも運転し易い自動車を作る場合に比較的低価格で出来る。
【符号の説明】
【００１１】
1  自動車車体
２  左後輪
３  左後輪と回転数検知式ブレーキとの接続シャフト
４  回転数検知式ブレーキ
５  回転数検知式ブレーキと全車輪回転数制御用コンピューターとの接続コード
６  ジャイロセンサー内蔵式全車輪回転数制御用コンピューター
７  コンピューター制御用ジョイステックレバー
８  全車輪回転数制御用コンピューターと左前輪回転数検知式駆動モーターブレーキシステムとの接続コード
９  左前輪回転数検知式モーターブレーキシステム
１０  左前輪回転数検知式モーターブレーキシステムと左前輪との接続シャフト
１１  左前輪
１２  右後輪
１３  右後輪と回転数検知式ブレーキとの接続シャフト
１４  右後輪回転数検知式ブレーキ
１５  回転数検知式ブレーキと全車輪回転数制御用コンピューターとの接続コード
１６  全車輪回転数制御用コンピューターと右前輪回転数検知式駆動モーターブレーキシステムとの接続コード
１７  右前輪回転数検知式モーターブレーキシステム
１８  右前輪回転数検知式モーターブレーキシステムと右前輪との接続シャフト
１９  右前輪
【図１】
2013139214.tif 000003
【手続補正書】
【提出日】平成24年1月16日(2012.1.16)
【手続補正１】
【補正対象書類名】特許請求の範囲
【補正対象項目名】全文
【補正方法】変更
【補正の内容】
【特許請求の範囲】
【請求項１】
車輪の回転数をコンピューターにより統合的に制御して、左右前後の車輪の回転数の差により、右左折等の車両の進行方向を制御する装置を有する自動車。
(57)【要約】【課題】  インスタント食品であるカップ麺やスープ等の汁物容器において、容器の上部外周鍔部分に唇を当てて汁を飲むとき、唇の両側から汁がこぼれて容器外へ漏れ、顔や衣服、机などを汚す場合が多々見受けられる。【解決手段】  上記課題を解決するために、容器上部外周鍔部分の一部にミシン目あるいは溝加工を施し、そのミシン目あるいは溝加工部に沿って切り離し、容器上部外周鍔部分の一部に切り欠き部を形成する。あるいはあらかじめ最初から容器上部外周鍔部分の蓋との接着面の一部に切り欠き部を形成しておく。【選択図】 図１
2013139288.tif 000002
【特許請求の範囲】
【請求項１】
容器上部外周鍔部分の一部にミシン目あるいは溝加工を施し、容器内部の汁を飲むときにそのミシン目あるいは溝加工部に沿って切り離し、容器外周の一部を切り欠いて飲み口を形成可能な汁物容器
【請求項２】
容器上部外周鍔部分の一部を切り欠いて飲み口を形成したことを特徴とする汁物容器
【発明の詳細な説明】
【技術分野】
【０００１】
本発明は、たとえばインスタント食品であるカップ麺やスープ等の汁物容器に関する。
【背景技術】
【０００２】
インスタント食品であるカップ麺やスープ等の汁物容器は、食する前は容器上部外周に蓋が接着されており密封されている。食するに当たって一度蓋の一部の接着を剥がして中の具材を選別し、給湯後食材が調理された後に完全に蓋を剥がして食する。
【先行技術文献】
【特許文献】
【０００３】
【特許文献１】特開２００１−４６２０６
【発明の概要】
【発明が解決しようとする課題】
【０００４】
背景技術に述べたように従来は蓋を取り除いた状態で食するのであるが、その時の容器の上部外周は蓋で密閉されやすいように容器上端より側方外部に向かって鍔状に成形されている。
【０００５】
そのように構成された容器の上部外周鍔部分に唇を当てて汁を飲むとき、唇の両端から汁がこぼれて容器外へ漏れ、顔や衣服、机などを汚す場合が多々見受けられる。
【０００６】
容器から汁を飲みやすくするために、たとえば先行技術文献に示す特許文献である特開２００１−４６２０６によると、容器上部の容器壁の一部を下方向に切り欠いて飲み口を形成しているが、容器壁から外方向に延出する鍔形状を有する容器にはこの形状は適当ではない。
【課題を解決するための手段】
【０００７】
上記課題を解決するために、容器上部外周鍔部分の蓋との接着面の一部にミシン目あるいは溝加工を施し、そのミシン目あるいは溝加工部に沿って切り離し、容器上部外周鍔部分に切り欠き部を形成する。
【０００８】
あるいはあらかじめ最初から容器上部外周鍔部分の蓋との接着面の一部に切り欠き部を形成しておく
【発明の効果】
【０００９】
容器上部外周鍔部分の蓋との接着面の一部に切り欠き部を形成し、その切り欠きを飲み口として唇にあてがうことにより、容器側壁及び鍔部分が唇により良く密着し、鍔部分を流れてきた汁が唇の両端から外部に漏れ出すことを防止する。
【図面の簡単な説明】
【００１０】
【図１】容器上部外周鍔部分の蓋との接着面が平面で構成されている容器において容器上部外周鍔部分の一部にミシン目あるいは溝加工を施した容器の図。上段は上から見た図、下段はＡＡ断面を示す。
【図２】図１に示す容器の上部外周鍔部分をミシン目あるいは溝加工部に沿って切り離して容器上部外周鍔部分の一部に切り欠き部を成形した図。上段は上から見た図、下段はＢＢ断面を示す。
【図３】容器上部外周鍔部分の蓋との接着面が曲面で構成されている容器において容器上部外周鍔部分の一部にミシン目あるいは溝加工を施した容器の図。上段は上から見た図、下段はＣＣ断面を示す。
【図４】図３に示す容器の上部外周鍔部分をミシン目あるいは溝加工部に沿って切り離して容器上部外周鍔部分の一部に切り欠き部を成形した図。上段は上から見た図、下段はＤＤ断面を示す。
【発明を実施するための形態】
【００１１】
以下、図面を参照して本発明の実施の形態について説明する。
【実施例１】
【００１２】
図１は容器上部外周鍔部分２の蓋との接着面の断面が平面で構成されている容器本体１において容器上部外周鍔部分２の一部にミシン目あるいは溝加工部３を施した図である。
【００１３】
図２は図１に示す容器本体１の容器上部外周鍔部分２をミシン目あるいは溝加工部３に沿って切り離して容器上部外周鍔部分２の一部に切り欠き部４を成形した図である。切り欠き部４と容器上部外周鍔部分２との接続部分はなめらかに接続し、唇等を傷つける角部のないことが望ましい。
【実施例２】
【００１４】
図３は容器上部外周鍔部分２の蓋との接着面が曲面で構成されている容器本体１において容器上部外周鍔部分２の一部にミシン目あるいは溝加工部３を施した図である。
【００１５】
図４は図３に示す容器本体１の容器上部外周鍔部分２をミシン目あるいは溝加工部３に沿って切り離して容器上部外周鍔部分２の一部に切り欠き部４を成形した図である。切り欠き部４と容器上部外周鍔部分２との接続部分はなめらかに接続し、唇等を傷つける角部のないことが望ましい。
【実施例３】
【００１６】
容器本体１はあらかじめ最初から容器上部外周鍔部分２の蓋との接着面の一部に切り欠き部４を図２あるいは図４のように成形しておき、その後容器上部外周鍔部分２に蓋を接着する構造でも良い。この場合、容器上部外周鍔部分２には切り欠き部４とともに全周に渡って蓋との接着部分が確保される構造とする。
【符号の説明】
【００１７】
１容器本体
２容器上部外周鍔部分
３ミシン目あるいは溝加工部
４切り欠き部
【図１】
2013139288.tif 000003
【図２】
2013139288.tif 000004
【図３】
2013139288.tif 000005
【図４】
2013139288.tif 000006
(57)【要約】【課題】晴天時に日除け、降雨時には雨除けとなり、安定していて、取り付け外しが簡単で、小さく折りたためるため収納時にはコンパクトになり、さらに軽量で、持ち運びが可能となった自転車用の簡易屋根を提供する。【解決手段】防水性の布を張った屋根状７に、透明なシート６と、ベルト８、９をつけた。晴天時には屋根の上に止めて使わず屋根だけで日除けとして、降雨時にはシートを下ろし１に接続させ屋根とシートで雨除けとして使用する。  自転車本体と１を３で接続させ、１の２に二本の支柱５を差し込み、支柱に９を差し込み、９を屋根状の７に差し込み、屋根の後部のベルト８、９とサドル又は後部荷台をそれぞれ連結させて、１４，１５で固定し安定させる。  連結部分は取り付け、外しが簡単で、屋根部分は小さく折りたためるため収納時にはコンパクトになり、さらに軽量化することにより持ち運びを可能とする。【選択図】図１
2013139198.tif 000002
【特許請求の範囲】
【請求項１】
曲げても元に戻る性質を持ったワイヤーを周に配した楕円形の日除けに、防水性の布を張り屋根状にし、前部には透明なシートを、後部にはベルトをつける。晴天時には透明シートは使わず屋根の上にたたみ屋根で日除けに、降雨時には透明シートを下ろして屋根とシートで雨除けとして使用する。
自転車本体のハンドルの前にある籠の接続部に固定した部品と二本の支柱、支柱と屋根、屋根の後部のベルトとサドル又は後部荷台をそれぞれ連結し安定させた、自転車用の簡易取り付け屋根
【請求項２】
連結部分の取り付け、外しが簡単で、屋根部分が小さく折りたためるため収納時にはコンパクトになり、そして軽量で持ち運びも可能な、請求項１に記載の自転車用の簡易取り付け屋根
【発明の詳細な説明】
【技術分野】
【０００１】  この発明は、自転車に乗っている時、上部と前部を屋根状に覆い、直射日光や雨をよけ、取り付け、外しが簡単で、小さく折りたためるため収納時はコンパクトになり、しかも軽量で、持ち運びが可能な形状の、自転車用の簡易取り付け屋根である。
【背景技術】
【０００２】  近年、省エネ、ＣＯ２の削減などの観点から自転車が見直され、利用者が増えている。
しかし、現在自転車に乗ると屋根が無いため、晴天時には、オゾン層が破壊されつつあるため、直射日光の紫外線による日焼けや、さらには皮膚癌の不安があり、降雨時は、法規制により安全上傘がさせないため、雨に濡れたりと、多くの人が不安や不便に感じている。
自転車に屋根を取り付ける各種提案もあるが、日常的に取り付け外しが困難で、部品が大きく重いので持ち運び出来る形状でない為、立体駐輪場が使えず利用に制限がある。
また、傘をハンドルに取り付ける提案もあるが、不安定でしかもカバーできる部分が小さい。
【発明が解決しようとする課題】
【０００３】  自転車に乗っている時、直射日光や雨をよけ、取り付け、外しが簡単で、持ち運びが可能になるよう小さく折りたためて軽量な自転車用の簡易家根をつくる。
【課題を解決するための手段】
【０００４】  この発明は、曲げても元に戻る性質を持ったワイヤーを周に配した楕円形の日除けに、防水性の布を張り屋根状にし、前部には透明なシートをつけ、後部にはベルトをつける。晴天時には透明シートは屋根に乗せて使わず、屋根で日除けに、降雨時にはシートを下ろして屋根とシートで雨除けとして使用する。
自転車本体のハンドルの前にある籠の接続部に固定した部品と二本の支柱、支柱と屋根、屋根の後部のベルトとサドル又は後部荷台をそれぞれ連結し安定させる。
連結部分の取り付け、外しは簡単で、屋根部分は小さく折りたためるため収納時にはコンパクトに、さらに持ち運びできるように軽量化する。
【発明効果】
【０００５】  この発明は、晴天時には透明シートは使用せず屋根部分で日除けに、降雨時には屋根と透明シートを下ろして使い雨除けになる。
自転車本体と二本の支柱、支柱と屋根、屋根の後部のベルトとサドル又は後部荷台をそれぞれ連結し安定させる。
連結部分は取り付け、外しが簡単で、屋根部分は小さく折りたためるため収納時にはコンパクトで、さらに軽量で持ち運びが可能なため、立体駐輪場も利用できる。
そのため、自転車利用者が直射日光、雨、止める場所の心配なく、自転車に乗ることが出来る。
【図面の簡単な説明】
【０００６】
【図１】  透明シート使用時の自転車に簡易屋根を取り付けた場合の斜視図である。
【図２】  透明シート不使用時の自転車に簡易屋根を取り付けた場合の斜視図である。
【図３】  簡易屋根の分解図である。  屋根部分は裏。
【図４】  透明シートを伸ばした屋根部分の表である。
【図５】  透明シートを止めた屋根部分の表である。
【発明を実施するための最良の形態】
【０００７】  曲げても元に戻る性質を持ったワイヤーを周に配した楕円形の日除け１０に、防水性の布を張り屋根状７にして、前部には透明なシート６をつけ、後部にはベルト８、９をつけた。晴天時にはシートは屋根の上に乗せ１４，１５で屋根の上に止めて使わず屋根だけで日除けとして、降雨時にはシートを下ろし屋根とシートで雨除けとして使用する。
自転車本体のハンドルの前にある籠の接続部品３で固定した１の２に二本の支柱５を差し込み、支柱に９を差し込み９を屋根状の７の１１に差し込み、屋根の後部のベルト８、ベルト９とサドル又は後部荷台をそれぞれ連結させて、１４，１５で固定し安定させる。
【符号の説明】
【０００８】１    自転車と支柱、透明シートを接続する軸となる部品
２    支柱を差し込むパイプ
３    自転車のかごと１を接続する部品
４    サドル又は後部荷台と８を連結するベルト
５    屋根部分を支える支柱
６    透明シート
７    防水性の布を張った屋根
８    屋根の後部のベルト
９    曲げても元に戻る性質を持った丈夫で軽い素材の、７を支えるポール
１０  曲げても元に戻る性質を持ったワイヤーを周に配した楕円形の日除け
１１  ９を差し込む７につけた筒
１２  透明シートを支える軸
１３  曲げても元に戻る性質を持った丈夫で軽い素材の、７を支える芯
１４  各接続部分を固定するマジックテープのベルト
１５  １４を掛ける止具
【図１】
2013139198.tif 000003
【図２】
2013139198.tif 000004
【図３】
2013139198.tif 000005
【図４】
2013139198.tif 000006
【図５】
2013139198.tif 000007
(57)【要約】【課題】ドリルビットが金属部品に衝接したときのように、電動機の回転が阻害されたときに、被回転駆動部材の回転を防止して作業者の手や腕を傷つける危険性を低減する。【解決手段】被駆動部材２を回転駆動するための電動機３を備えた手持ち工具１が、電動機３を減速するための手段５と、電動機の減速手段５を制御するために手持ち工具１の回転駆動を検出するための手段６とを備える。本発明は、ドリル、ねじ切り工具、回転砥石又は他のロータリーハンマーに良好に適用される。【選択図】図１
2013139081.tif 000002
【特許請求の範囲】
【請求項１】
被駆動部材（２）を回転駆動するための電動機（３）を備えた手持ち工具であって、前記電動機（３）を減速するための手段（５）と、工具（１）の回転駆動を検出して前記電動機の前記減速手段（５）を制御する手段（６）とを備えた手持ち工具において、
前記電動機をその電源から分離して該電動機を電流発生器に変換する接触子（１４）を具備し、該電流発生器からの電流が、その極性を反転させた後に該電動機に再び供給されるようにしたことを特徴とする手持ち工具に関する。
【請求項２】
前記手持ち工具の前記回転駆動を検出するための前記手段はジャイロ式検出器を含む請求項１に記載の手持ち工具。
【請求項３】
前記接触子（１４）は電気機械接触子である請求項１に記載の手持ち工具。
【発明の詳細な説明】
【技術分野】
【０００１】
本発明は、アンカー部材、ドリル部材または締結部材を回転駆動するための、電動機を備えている手持ち工具に関する。本明細書では主にドリル、ねじ切り工具、回転砥石その他のロータリーハンマーが参照される。
【背景技術】
【０００２】
こうした手持ち工具では、例えば、ドリルのドリルビットが金属部品に衝接したときに、被回転駆動部材の回転が突然阻害されるという危険性が生じ得る。その結果、こうした手持ち工具を回転駆動すると、作業者の手や腕を傷つける危険性がある。
【０００３】
特許文献１から、電動機と被駆動部材との間に、角度シフトを検知する検出器を備え、被駆動部材が動作していないときに電動機の駆動を断つようにしたトルク能動制御安全モジュールによって制御される安全クラッチを備えた手持ち工具が知られている。
然しながら、そうした従来技術の手持ち工具は極めて寿命が短いという欠点を有する。
【先行技術文献】
【特許文献】
【０００４】
【特許文献１】米国特許出願公開第２００４／０１０４０３４号
【発明の概要】
【発明が解決しようとする課題】
【０００５】
本発明は、こうした手持ち工具の改良を目的とする。
【課題を解決するための手段】
【０００６】
本発明は、電動機（３）を減速するための手段（５）と、手持ち工具（１）の回転駆動を検出して前記電動機の前記減速手段（５）を制御する手段（６）とを備え、被駆動部材（２）を回転駆動するための電動機（３）を備えた手持ち工具において、該電動機をその電源から分離して該電動機を電流発生器に変換する接触子（１４）を具備し、
該電流発生器からの電流が、その極性を反転させた後に該電動機に再び供給されるようにしたことを特徴とする手持ち工具に関する。
【０００７】
工具が回転し始めると、電動機の駆動を停止するではなく、電動機は減速されるだけであるので、工具の寿命が著しく改善される。さらに、電動機は電流発生器になる。発生した電流は極性を反転した後に電動機に再び供給され、それにより、工具回転時の迅速な減速が確実に行なわれる。
【０００８】
前記工具の前記回転駆動を検出するための前記手段は、有利にはジャイロ式検出器を含む。
本発明は、添付図面を参照しながら本発明の手持ち工具に関する以下の説明から更に理解されるであろう。
【図面の簡単な説明】
【０００９】
【図１】被駆動部材を駆動するための電動機と、被駆動部材の回転が阻害されたときに電動機を減速する制御モジュールとを備える手持ち工具の機能ブロック図である。
【発明を実施するための形態】
【００１０】
図面を参照すると、手持ち工具１、ここでは一例として、ドリルビット２を回転駆動するロータリーハンマーが、ドリルビット２を駆動するための電動機３と、例えば、ドリルビットが穿孔動作時に金属部品に衝接して、ドリルビット２の回転が突然阻害されたときに、工具の回転を防止する制御モジュール４とを備える。
【００１１】
制御モジュール４は、電動機３を減速するためのブロック５と、工具１の回転駆動を検出し減速ブロック５を制御するための手段とを備える。ここで、検出手段は、実質的に工具の回転軸７に沿って配置されるジャイロ式センサー６を備える。工具の通常動作によって生成されるノイズを除去するための電子フィルター８が、ジャイロスコープ６の出力に接続される。減速ブロック５はフィルター８の出力に接続される。
【００１２】
工具が始動すると直ちに、ジャイロスコープ６は工具の回転を検出することができる。
フィルター８の出力信号および水晶９の出力信号がマイクロコントローラ１１の計算器１０において受信され、計算器は、工具の回転速度を表す信号Ｖ（θ）を出力する。信号Ｖ（θ）は、比較器１２において、しきい値速度Ｖ（ｓ）を表す信号と比較される。こうした速度Ｖ（ｓ）は、マイクロコントローラ１１に内蔵されたソフトウェア部１３によって求めることができる。比較器１２の出力信号は接触子１４に送信され、Ｖ（θ）＞Ｖ（ｓ）のときに、接触子が直ちに作動状態となる。
【００１３】
接触子１４は電動機３に接続される。接触子１４が起動すると、電動機はその電源から分離される。こうして、電動機は電流発生器になる。発生した電流は極性を反転した後に電動機に再び供給され、それにより、工具は迅速或いは瞬時に確実に減速される。
【００１４】
こうした電動機の分離動作および位相反転は、電動機の電界効果トランジスタＦＥＴにおいて行なうことができる。
【００１５】
電界効果トランジスタの起動はできる限り迅速でなければならない。これは、接触子として、極めて迅速に応答する電気機械接触子が好ましい理由である。さらに、この接触子は特に頑強な装置材料である。工具は４分の１回転未満しか回転駆動されないことが期待される。
【００１６】
こうして、上記の組立体は減速モジュールである。該モジュールは、予期せず回転が阻害されることが生じる得る様々な電動機工具に配設することができる。それにより、作業者の腕の高さで骨折や捻挫のようなタイプの事故が生じる危険性が制限される。
【図１】
2013139081.tif 000003
(57)【要約】      （修正有）【課題】有害不要成分が除去され、有用成分の成分組成は変化させず全有用成分が残存した、健康に寄与する飲料水基準水の製造技術を提供する。【解決手段】薬剤を一切使うことなく、水路を流れる汚染原水に電子供与し、全成分分子を帯電させ、有害不要成分分子の化学結合を解離し、有害不要成分分子と有用成分分子の結合を解離させ、帯電している有害不要成分分子から、帯電していない電荷を持たない活性炭等の素材界面に電荷が移動する際に生じる結合力によって、有害不要成分だけを吸着除去させ、有用成分は、それらの組成を変化させることなく残存させた健康に寄与する飲料水基準水を汚染水から造る。【選択図】なし【特許請求の範囲】
【請求項１】
薬剤を一切使うことなく、水路を流れる汚染原水に電子供与し、原水成分分子の化学結合を解離し、水中の全成分分子を帯電させることを特徴とする技術。
【請求項２】
帯電し電荷を有した有害不要成分分子から、帯電されていない電荷を持たない活性炭等の素材界面に電荷が移動する際に生じる結合力によって、有害不要成分分子だけを吸着、除去することを特徴とする技術
【請求項３】
薬剤を一切使うことなく、水路を流れる汚染原水に電子供与し、有害不要成分分子と有用成分分子の結合を解離することを特徴とする技術
【請求項４】
薬剤を一切使うことなく、有用成分の組成を変化させることなく有用成分をそのまま残存させることを特徴とする技術
【請求項５】
薬剤を一切使うことなく、汚染された海水から、有害不要成分が除去され、有用成分はそのままのミネラルバランス組成で残存する海水ミネラルバランス水を造ることを特徴とする技術
【請求項６】
水路を流れる水に、電気分解領域に至ることがない電荷を与えることで、ｐＨを飲料水基準内に維持させながら、有害不要成分を除去し、酸化還元電位（ＯＲＰ）を−５００ｍＶ領域にまで下げることを特徴とする技術
【請求項７】
薬剤を一切使うことなく、又脱窒菌を添加することなく、硝酸態窒素、亜硝酸態窒素、アンモニア態窒素を除去することを特徴とする技術
【請求項８】
薬剤を一切使うことなく、水路を流れる汚染原水に含まれる六価クロム、ニッケル、鉄、マンガン、亜鉛、銅、ホウ素等の重金属分子に電子供与し、活性炭等の素材界面に吸着させ除去することを特徴とする技術
【請求項９】
請求項１から８までの技術を用い、汚染水から直接、無薬剤で、健康に寄与する飲料水を製造することを特徴とする技術
【発明の詳細な説明】
【技術分野】
【０００１】地球の物質循環／水循環によって生成された水分子とイオン化ミネラル分子（以下“有用成分”と呼ぶ）をそのまま残存させ、人間の生産／消費／生活によって生成され水中に含有する成分（以下“有害不要成分”と呼ぶ）を解離除去する電子制御技術分野
【背景技術】
【０００２】電子供与による水中内成分の化学結合解離と、電荷移動力による有用成分と有害不要成分との解離及び有害不要成分の除去を行う技術【０００３】（汚染）水、（汚染）海水、地下水、水道水、河川湖沼水、産業系廃水、生活系廃水等から、体内ミネラルバランス／代謝を健全化し、免疫力を高める特性を有する飲料水基準水（以下“健康に寄与する水”と呼ぶ）を製造する技術
【発明が解決しようとする課題】
【０００４】現在、世界中で２５億人とも言われる人々が不衛生な水使用を余儀なくされ、８秒間にひとりのこどもが不衛生な水摂取によって亡くなっている。
【０００５】同時に、飲料水、生活用水、工業用水を得る一方、自然環境への負荷を与え２次汚染を引き起こす水処理が普及し拡大している。
【０００６】さらに、本発明以外の水処理方法は、有害不要成分を除去すると同時に有用成分の成分組成を変化させ特定有用成分を除去する。
【０００７】これでは、地球上の生命の健康が損なわれ、自然環境崩壊が進行する。
【０００８】これを防ぐ為には、有害不要成分が除去され、有用成分の成分組成は不変のまま、全有用成分がそのまま残存した、生命の健康維持に寄与する飲料水基準水の製造を行う技術が必須である。
【課題を解決するための手段】
【０００９】薬剤を一切使うことなく、水路を流れる有害不要成分（濁度／色度成分、ＴＯＣ／ＢＯＤ／ＣＯＤ成分、重金属、微生物、ウィルス、植物性／動物性プランクトン、硝酸態窒素、亜硝酸態窒素、アンモニア態窒素、ケイ酸態ケイ、リン酸態リン等）を含む水（以下“汚染原水”と呼ぶ）に電子供与し、成分分子の化学結合を解離し、水中の全成分分子を帯電させ、帯電していない電荷を持たない活性炭等の素材界面に有害不要成分だけを吸着除去させる。
【００１０】薬剤を一切使うことなく、有害不要成分と有用成分の結合を解離する。
【００１１】薬剤を一切使うことなく、有害不要成分を除去する。
【００１２】有用成分は、それらの組成を変化させることなく残存させる。
【発明の効果】
【００１３】高濃度汚染水から、健康に寄与する飲料水基準水を製造するシステム／プラントの構築運転が実現する。
【００１４】高濃度に汚染され、ヒ素等の有害重金属や有害有機化合物等を含有する自然水系を浄化し、２次汚染を起こすことなく水系周辺の自然環境を復元する。
【００１５】産業系廃水から、これに含有する六価クロム、ニッケル、鉄、マンガン、亜鉛、銅、ホウ素等の重金属が除去された飲料水基準水を無薬剤で造る。
【００１６】汚染された海水から、有害不要成分が除去され、有用成分はそのままの組成で残存する海水（以下“海水ミネラルバランス水”と呼ぶ）を造る。
【００１７】薬剤が不要になる事で、汚染原水浄化処理に要するコストが削減される。
【００１８】薬剤使用による２次汚染が抑制され、汚染水浄化と自然環境復元が同時進行する。
【図面の簡単な説明】
【００１９】
【図１】汚染原水から有用成分だけが取り出され、健康に寄与する水が製造されるフロー
【産業上の利用可能性】
【００２０】不衛生な水使用／摂取／飲用を余儀なくされている地域への健康に寄与する飲料水供給【００２１】メッキ廃水を含む産業系廃水の無薬剤浄化リサイクルプラントの構築【００２２】汚染自然水系の無薬剤浄化／環境復元システムの構築【００２３】汚染地下水、汚染河川湖沼の汚染水から有害不要成分が除去され、有用成分の成分組成がそのまま残存する健康に寄与する無薬剤による飲料水製造システムの構築【００２４】解離除去した有害不要成分からレアメタル等の有用資源を回収するシステム構築【００２５】海水ミネラルバランス水による体内ミネラルバランスの健全化、熱中症予防、未病予防、生活習慣病予防・治癒、アンチエイジング等に寄与する医療／健康保持水の製造【００２６】海水ミネラルバランス水による８２種類海水ミネラル含有の低塩分濃度食品（発酵食品を含む）／調味料／ドレッシング、人工添加剤不要のひもの／練り物等の製造【００２７】海水ミネラルバランス水による無農薬／無肥料／無堆肥栽培【００２８】海水ミネラルバランス水を用いた、作物本来のミネラル成分バランスを持ち、異常気象に強い作物栽培【００２９】海水ミネラルバランス水による水産物の洗浄／加工／冷凍／解凍時における細胞保護
【符号の説明】
【００３０】１：汚染原水
２：水路
３：帯電ユニット
４：帯電ユニット
５：有害不要成分
６：有用成分
７：水路
８：有害不要成分
９：有用成分だけの健康に寄与する飲料水
１０：電子制御装置
【図１】
2013139016.tif 000002